(57)【要約】【課題】棒状物を曲げながら曲げ度合いを測定し、目的の曲げ度合いにすることができるベンダ補助具を提供する。【解決手段】本発明は、上記課題を解決するため、棒と前記棒の先端に湾曲部と前記湾曲部の上方に係止部を備え、前記湾曲部と係止部の間に棒状物を挿入しテコの原理を用いて前記棒状物を湾曲させる手動式のベンダに取り付けて利用されるベンダ補助具であって、前記棒に装着される装着部と、前記装着部から突出した張出部と、前記張出部から起立したレール部と、前記棒状物に接しつつ前記棒状物の湾曲に追随して前記レール部を移動するスライドバーと、前記レール部に取り付けられ棒状物の曲げ角に対応する前記棒状物の曲げによる移動距離を測定するメジャーと、からなるベンダ補助具とした。【選択図】図１
2016209927.tif 000002
【特許請求の範囲】
【請求項１】
棒と前記棒の先端に湾曲部と前記湾曲部の上方に係止部を備え、前記湾曲部と係止部の間に棒状物を挿入しテコの原理を用いて前記棒状物を湾曲させる手動式のベンダに取り付けて利用されるベンダ補助具であって、
前記棒に装着される装着部と、
前記装着部から突出した張出部と、
前記張出部から起立したレール部と、
前記棒状物に接しつつ前記棒状物の湾曲に追随して前記レール部を移動するスライドバーと、
前記レール部に取り付けられ棒状物の曲げ角に対応する前記棒状物の曲げによる移動距離を測定するメジャーと、
からなることを特徴とするベンダ補助具。
【請求項２】
前記装着部が、筒であり、前記棒を挿入した上で位置固定されることを特徴とする請求項１に記載のベンダ補助具。
【請求項３】
前記スライドバーが前記レール部から直角に突出した突出部と前記レール部に沿う直線部とからなるＬ字金具であり、
前記直線部の端部と前記レール部とに渡されたバネで前記スライドバーのスライドを可能とし、
前記直線部の左右を陥入させる溝を備え前記Ｌ字金具のスライドを案内するガイドが前記レール部に固定されたことを特徴とする請求項１又は請求項２に記載のベンダ補助具。
【請求項４】
前記ガイドに、前記スライドバーの位置を固定する固定具が備えられたことを特徴とする請求項３に記載のベンダ補助具。
【請求項５】
前記メジャーが、プレート状で表面に目盛りが表示され、前記レール部上で位置移動可能としたことを特徴とする請求項１〜請求項４の何れか１項に記載のベンダ補助具。
【請求項６】
さらに、前記棒状物の先端に嵌着され筒状形状で、その側面対向位置に目印が設けられ、前記目印で棒状物の位置を確認する位置指示具を備えることを特徴とする請求項１〜請求項５の何れか１項に記載のベンダ補助具。
【請求項７】
請求項１〜請求項６の何れか１項に記載のベンダ補助具を備えることを特徴とするベンダ装置。
【発明の詳細な説明】
【技術分野】
【０００１】
本発明は、棒と、棒の先端に湾曲部と、湾曲部の上方に係止部を備え、湾曲部と係止部の間に電気配管、水道管、鉄筋などの棒状物を挿入しテコの原理を用いて棒状物を湾曲させる手動式のベンダに取り付けて利用されるベンダ補助具に関する。さらに詳しくは、
【背景技術】
【０００２】
ベンダに取り付け、湾曲を制御する補助具として、特許文献１が公開されている。特許文献１の発明は、ベンダを使用した配管曲げ作業を熟練を要せず、短時間でかつ確実に一定の角度に曲げることが出来るパワーストップベンダであって、縦断面が略Ｕ字形状の略水平な受け溝２３と、当該受け溝２３から横方向に離れた延長線上に設けられた、下向き湾曲凹溝を有する係止突起２４とから成る既存のベンダＣの作用部２１の、前記受け溝２３の、係止突起２４とは反対側の延長線上に、上面を有するストッパを設け、当該ストッパは前記ベンダＣの作用部２１を支える支柱２２に一端を固定した腕金部の他端に設けてなる。
【０００３】
しかしながら、特許文献１では、棒状物を曲げながら曲げ度合いを測定し、目的の曲げ度合いにすることはできない。
【先行技術文献】
【特許文献】
【０００４】
【特許文献１】特開２０１２−８６２６３号公報
【発明の概要】
【発明が解決しようとする課題】
【０００５】
そこで、本発明は、棒状物を曲げながら曲げ度合いを測定し、目的の曲げ度合いにすることができるベンダ補助具を提供することを目的とする。
【課題を解決するための手段】
【０００６】
本発明は、上記課題を解決するため、
（１）
棒と前記棒の先端に湾曲部と前記湾曲部の上方に係止部を備え、前記湾曲部と係止部の間に棒状物を挿入しテコの原理を用いて前記棒状物を湾曲させる手動式のベンダに取り付けて利用されるベンダ補助具であって、
前記棒に装着される装着部と、
前記装着部から突出した張出部と、
前記張出部から起立したレール部と、
前記棒状物に接しつつ前記棒状物の湾曲に追随して前記レール部を移動するスライドバーと、
前記レール部に取り付けられ棒状物の曲げ角に対応する前記棒状物の曲げによる移動距離を測定するメジャーと、
からなることを特徴とするベンダ補助具。
（２）
前記装着部が、筒であり、前記棒を挿入した上で位置固定されることを特徴とする（１）に記載のベンダ補助具。
（３）
前記スライドバーが前記レール部から直角に突出した突出部と前記レール部に沿う直線部とからなるＬ字金具であり、
前記直線部の端部と前記レール部とに渡されたバネで前記スライドバーのスライドを可能とし、
前記直線部の左右を陥入させる溝を備え前記Ｌ字金具のスライドを案内するガイドが前記レール部に固定されたことを特徴とする（１）又は（２）に記載のベンダ補助具。
（４）
前記ガイドに、前記スライドバーの位置を固定する固定具が備えられたことを特徴とする（３）に記載のベンダ補助具。
（５）
前記メジャーが、プレート状で表面に目盛りが表示され、前記レール部上で位置移動可能としたことを特徴とする（１）〜（４）の何れかに記載のベンダ補助具。
（６）
さらに、前記棒状物の先端に嵌着され筒状形状で、その側面対向位置に目印が設けられ、前記目印で棒状物の位置を確認する位置指示具を備えることを特徴とする（１）〜（５）の何れかに記載のベンダ補助具。
（７）
（１）〜（６）の何れかに記載のベンダ補助具を備えることを特徴とするベンダ装置。
とした。
【発明の効果】
【０００７】
本発明は、上記構成であるので、市販のベンダに簡単に装着でき、棒状物を曲げながら曲げ度合いを測定し、目的の曲げ度合いにすることができるため、棒状物を床等に載置して寸法を測定呈する必要がなく、また広いスペースを必要とすることなく、作業時間も短縮できる。加えて、一端曲げ度合いを決定したならば、その後、再現性よく、熟練者でなくとも、曲げ度合いを均一に行うことができる。管の先端に、位置表示の目印が設けられた位置指示具を嵌着させれば、Ｓ字曲げも正確かつ簡単に行うことができる。
【図面の簡単な説明】
【０００８】
【図１】本発明であるベンダ補助具とベンダからなるベンダ装置の使用状態を示す斜視模式図である。
【図２】図１のベンダ装置で、管を一箇所湾曲させたときの斜視模式図である。
【図３】図２の後、一箇所湾曲させた管を、さらにベンダ装置で、一箇所、逆方向に湾曲させ、直線状の管を緩やかなＳ字形に湾曲させたときの斜視模式図である。である。
【図４】ベンダ装置で、管（電気配管）を湾曲させるときの様子を写した写真である。
【図５】ベンダ装置で、管（電気配管）を湾曲させるときの様子を、図４と異なる方向（約９０°向き移動した方向）から写した写真である。
【発明を実施するための形態】
【０００９】
以下、添付図面に基づき、本発明の実施の形態について詳細に説明する。ただし、本発明はそれら実施形態に限定されるものではない。
【実施例１】
【００１０】
本発明であるベンダ装置１は、図１に示すように、ベンダ２と、ベンダ補助具３とからなる。
【００１１】
ベンダ２は、市販されており、例えば、パナソニック電工(株)ハイヒッキー（登録商標）Ｅ型、棒２ａと棒２ａの先端に管１０をその形状に沿って曲げる湾曲部２ｂと湾曲部２ｂの上方に管を掛ける係止部２ｃを備える。そして、湾曲部２ｂと係止部２ｃの間に管１０などの棒状物を挿入し、テコの原理を用いて手作業の手動式で前記棒状物を湾曲させる装置である。
【００１２】
ベンダ補助具３は、装着部４と、張出部５と、レール部６と、スライドバー７と、メジャー８と、位置指示具９とかならなる。
【００１３】
装着部４は、ベンダ２の棒２ａに装着される。ここでは、棒２ａを挿入する筒４ａと、筒４ａを位置固定するネジである固定具４ｂからなる実施形態を例示したが、他の方式で装着してもよい。筒４ａと固定具４ｂであれば、装着固定が極めて容易である。
【００１４】
張出部５は、装着部４に連設して突出し、湾曲部２ｂと、レール部６とを所定の距離に位置するよう保持するためのものである。ここでは板状としたが、レール部６を保持できれば形状は特に特定されるものではない。張出部５が湾曲部２ｂの下方に位置すれば、管１０のストッパとしても機能する。
【００１５】
レール部６は、張出部５の一部から起立し、スライドバー７、メジャーを保持するものである。
【００１６】
スライドバー７は、レール部６に保持され、レール部６上を移動する直線部７ｂと、直線部７ｂから突出し管１０に接するストッパ７ａとからなるＬ字金具等で、管１０の湾曲に追随してレール部６上を移動する。
【００１７】
スライドバー７がレール部６を移動する手段として、図示したように、直線部７ｂの端部とレール部６とに留具７ｄ、７ｅで固定され渡されたバネ７ｃの伸縮、さらに、直線部７ｂが嵌る溝７ｇと、ネジが貫通し、直線部７ｂを圧迫して位置固定する固定具７ｈを備えるガイド７ｆを、レール部６に固定する方法が例示される。
【００１８】
本方式であれば、固定具７ｈのネジをゆるめれば、スライドバー７を、溝７ｇに沿って上下に移動することができる。一端、管１０の曲げ度合いが確定したならば、以後は、固定具７ｈでスライドバー７を固定し、ストッパ７ａの上端を管１０の曲げ位置の終点とすれば、繰り返しの曲げ作業が正確かつ短時間で可能になる。
【００１９】
メジャー８は、直線状のプレート８ｂと、プレート８ｂ表面に記載された目盛り８ａと、ストッパ７ａの位置に合わされる基準線８ｅとからなり、レール部６に取り付けられ管１０の曲げ角に対応する管１０の曲げによる移動距離を測定する。可動式とすることで、管１０の太さ変化に応じた基準線８ｅの位置の微調整が可能になる。また、曲げられた管の再湾曲にときも位置移動でき、汎用性が高くなる。
【００２０】
メジャー８を可動式にする手段としては、図示したように、プレート８ｂが嵌る溝８ｄと、ネジが貫通し、プレート８ｂを圧迫して位置固定する固定具８ｆを備えるガイド８ｃを、レール部６に固定する方法が例示される。本方式であれば、固定具８ｆのネジをゆるめ、プレート８ｂを、溝８ｄに沿って上下に移動することができる。
【００２１】
位置指示具９は、管１０の先端に嵌着され筒９ａ形状で、その側面対向位置に目印（第一目印９ｂ、第二目印９ｃ）が設けられ、第一目印９ｂ、第二目印９ｃ目印で管の上下位置を確認する。
【００２２】
位置表示具９を備えることで、管１０に装着容易で、管１０の上下位置が簡易に把握でき、正確なＳ字湾曲を可能にする。
【００２３】
次に、図１−５を参照して、管１０のＳ字曲げについて説明する。なお、図４、５は、実際に本発明であるベンダ装置１を用いて管１０（電気配管）を曲げているときの様子を写した写真である。管１０の曲げは、管１０の一端をベンダ２の係止部２ｃに係止し、管１０の他端を手で下に押し込むことで、湾曲部２ｂに管１０を沿わせて曲げる。
【００２４】
先ず、図１に示すように、位置指示具９を管１０に装着した上で、第一目印９ｂを上に向け、１箇所目の湾曲の準備をする。そして、管１０の一部をベンダ２の湾曲部２ｂと係止部２ｃの間に挿入し、一部を係止部２ｃに係止する。
【００２５】
その後、管１０の他方をスライドバー７のストッパ７ａに接触させ、そのとき、管１０を曲げていない状態で、ストッパ７ａの下端にメジャー８の基準線８ｅ（０ｃｍ）が来るように、メジャー８を移動、固定する。このとき、スライドバー７はスライド可能にガイド７ｆの溝７ｇに嵌められている。
【００２６】
次に、ストッパ７ａよりさらに他端側を図４、５に示すように、手で押圧し、ベンダ２の湾曲部２ｂに沿って管１０を湾曲させる。図２に示すように、管１０の湾曲度合いは、ストッパ７ａの移動距離、即ち、基準線８ｅからのストッパ７ａ下端の移動距離（例えばｃｍ）で、その場で把握し、目的の曲げ状態にする。
【００２７】
その後、ガイド７ｆの固定具７ｈ（ネジ）を締め、スライドバー７を固定する。そうすることで、次回以降の曲げにおいては、ストッパ７ａの移動距離を把握する必要がなく、ストッパ７ａの固定位置が、管１０の曲げ位置となる。
【００２８】
次に、第二目印９ｃを上側に位置するように、管１０を１８０°回転させる。第二目印が上に位置することで、管１０をＳ字にする正確な位置を容易に把握することができる。その後、管１０の二箇所目の湾曲位置を、図４、５に示すよう、手で下方に管１０を押圧して、湾曲させる。
【００２９】
そのとき、ストッパ７ａで湾曲を止めることで、第一箇所目の湾曲角と同じ湾曲を形成し、正確なＳ字湾曲が可能になる。勿論、Ｓ字以外の形状に管１０を二箇所湾曲させる場合には、都度、スライドバー７をスライドさせ、ストッパ７ａの移動距離をメジャー８で測定しながら湾曲させることも可能である。
【符号の説明】
【００３０】
１      ベンダ装置
２      ベンダ
２ａ    棒
２ｂ    湾曲部
２ｃ    係止部
３      ベンダ補助具
４      装着部
４ａ    筒
４ｂ    固定具
５      張出部
６      レール部
７      スライドバー
７ａ    ストッパ
７ｂ    直線部
７ｃ    バネ
７ｄ    留具
７ｅ    留具
７ｆ    ガイド
７ｇ    溝
７ｈ    固定具
８      メジャー
８ａ    目盛り
８ｂ    プレート
８ｃ    ガイド
８ｄ    溝
８ｅ    基準線
８ｆ    固定具
９      位置指示具
９ａ    筒
９ｂ    第一目印
９ｃ    第二目印
１０    管
【図１】
2016209927.tif 000003
【図２】
2016209927.tif 000004
【図３】
2016209927.tif 000005
【図４】
2016209927.tif 000006
【図５】
2016209927.tif 000007